(57)【要約】      （修正有）【課題】スライド・プレゼンテーションの発表者用スピーカー・ノートを管理するためのシステムおよび方法を提供する。【解決手段】システムには、スライド・プレゼンテーションに含まれるスライドの１つをサポートするために使用される第１のスピーカー・発表者用ノート・インスタンスを含む第１のスピーカー・発表者用ノート・ファイルを作成する手段と、第２のスピーカー・発表者用ノート・インスタンスを含む少なくとも第２のスピーカー・発表者用ノート・ファイルを作成する手段とを含まれる。前記１つのスライドの１つをサポートするために前記少なくとも第２のスピーカー・発表者用ノート・インスタンスを使用できるように、スライド・プレゼンテーションと前記少なくとも第２のスピーカー・・発表者用ノート・ファイルの間でリンクが生成される。【選択図】図１
2005243027.tif 000002
【特許請求の範囲】
【請求項１】
コンピュータによって実施されるスライド・プレゼンテーション製品において、スライド・プレゼンテーションをサポートするために使用される複数の発表者用ノートスピーカー・ノート・ファイルを作成するためのシステムであって、
前記スライド・プレゼンテーションの１つのに含まれるスライドの１つをサポートするために使用される第１の発表者用ノートスピーカー・ノート・インスタンスを含む第１の発表者用ノートスピーカー・ノート・ファイルを作成する手段（１０２、１０４）と、
第２の発表者用ノートスピーカー・ノート・インスタンスを含む少なくとも第２の発表者用ノートスピーカー・ノート・ファイルを作成する手段（１０６）と、
前記１つのスライドの１つをサポートするために前記少なくとも第２の発表者用ノートスピーカー・ノート・インスタンスを使用することができるように、前記スライド・プレゼンテーションと前記少なくとも第２の発表者用ノートスピーカー・ノート・ファイルの間のリンク（１１０、１１２、１１４）を作成する手段（１０８）とを含むシステム。
【請求項２】
前記１つのスライドが、前記スライド・プレゼンテーションがの複数のスライドのうちのスライドでありを含み、前記第１の発表者用ノートスピーカー・ノート・ファイルが、前記スライド・プレゼンテーションの前記複数のスライドをサポートするためにそれぞれが個々に使用される複数の第１の複数の発表者用ノートスピーカー・ノート・インスタンスを含む、請求項１に記載のシステム。
【請求項３】
前記少なくとも第２の発表者用ノートスピーカー・ノート・ファイルが、複数の第２の複数の発表者用ノートスピーカー・ノート・インスタンスを含み、前記リンク作成手段が、前記スライド・プレゼンテーションの前記複数のスライドと前記複数の第２の複数の発表者用ノートスピーカー・ノート・インスタンスの間に個々のリンクをそれぞれ作成する手段をさらに含む、請求項２に記載のシステム。
【請求項４】
前記少なくとも第２の発表者用ノートスピーカー・ノート・ファイルを作成する前記手段が、前記少なくとも第２の発表者用ノートスピーカー・ノート・ファイルを修正する手段をさらに含む、請求項１ないし乃至３のいずれか一項に記載のシステム。
【請求項５】
前記少なくとも第２の発表者用ノートスピーカー・ノート・ファイルを作成する前記手段が、空の発表者用ノートスピーカー・ノート・ファイルを作成する手段をさらに含む、請求項１ないし乃至４のいずれか一項に記載のシステム。
【請求項６】
前記少なくとも第２の発表者用ノートスピーカー・ノート・ファイルを格納する格納手段をさらに含み、前記リンク作成手段が前記格納手段と前記スライド・プレゼンテーションの間のリンクを作成する手段をさらに含む、請求項１ないし乃至５のいずれか一項に記載のシステム。
【請求項７】
コンピュータ表示画面と、前記スライド・プレゼンテーション製品をエミュレートするグラフィカル・ユーザ・インターフェース手段とをさらに含む、請求項１ないし乃至６のいずれか一項に記載のシステム。
【請求項８】
前記グラフィカル・ユーザ・インターフェース手段が、前記少なくとも第２の発表者用ノートスピーカー・ノート・ファイルを作成するために専用の作成プッシュ・ボタン（５１４）を含む、請求項７に記載のシステム。
【請求項９】
前記グラフィカル・ユーザ・インターフェース手段が、前記スライド・プレゼンテーションと前記少なくとも第２の発表者用ノートスピーカー・ノート・ファイルの間のリンクを作成するために専用のリンク・プッシュ・ボタン（５０８）を含む、請求項７または８に記載のシステム。
【請求項１０】
前記グラフィカル・ユーザ・インターフェース手段が、前記少なくとも第２の発表者用ノートスピーカー・ノート・ファイルを格納するために専用の保存プッシュ・ボタン（５２０）を含む、請求項７、８または９に記載のシステム。
【請求項１１】
前記第１の発表者用ノートスピーカー・ノート・ファイルを作成する手段（１０２、１０４）、前記少なくとも第２の発表者用ノートスピーカー・ノート・ファイルを作成する手段（１０６）および前記リンク作成手段（１０８）が、コンピュータ・マシンコンピュータによって実行可能なコンピュータ読取り可能可読プログラム手段である、請求項１ないし乃至１０のいずれか一項に記載のシステム。
【請求項１２】
請求項１１に記載のコンピュータ読取り可能可読プログラム手段を有形に実装する、コンピュータ・マシンコンピュータによって読取り可能な可読プログラム記憶装置媒体。
【請求項１３】
スライド・プレゼンテーション・プログラムの発表者用ノートスピーカー・ノート・ファイルを管理するためのシステムであって、
（ａ）その上で実行されるスライド・プレゼンテーション・プログラムを実行するためのを含むコンピュータと、
（ｂ）前記スライド・プレゼンテーション・プログラムを用いて作成されたスライド・プレゼンテーションであって、少なくとも１つのスライドと、前記スライド・プレゼンテーション・プログラムの制御のもとで生成され、また前記少なくとも１つのスライドをサポートするために使用される発表者用ノートスピーカー・ノート・インスタンスとを含むスライド・プレゼンテーションと、
（ｃ）アクションを実施するために前記コンピュータによって実行可能なコンピュータ読取り可能可読プログラム手段を含み、
であって、前記アクションが、
（ｉ）発表者用ノート・ファイルを作成するステップであって、それぞれのファイルが前記少なくとも１つのスライドをサポートするために使用される少なくとも１つの発表者用ノートスピーカー・ノート・インスタンスを含むスピーカー・ノート・ファイルを作成するステップと、
（ｉｉ）それぞれのファイルの前記少なくとも１つの発表者用ノートスピーカー・ノート・インスタンスを前記少なくとも１つのスライドにリンクするステップとを含む、
コンピュータ読取り可能プログラム手段とを含むシステム。
【請求項１４】
前記コンピュータ読取り可能可読プログラム手段が発表者用ノートスピーカー・ノート・ファイルの格納または削除の実施をさらに可能にする、請求項１３に記載のシステム。
【請求項１５】
前記コンピュータ読取り可能可読プログラム手段が、コンピュータコンピュータ・マシンによって読取り可能な可読プログラム記憶媒体において装置内で実装される、請求項１４に記載のシステム。
【請求項１６】
コンピュータによって実施されるスライド・プレゼンテーションをサポートするために使用される複数のスピーカー・ノート・ファイルを作成するためのプログラムであって、
前記スライド・プレゼンテーションに含まれるスライドの１つをサポートするために使用される第１のスピーカー・ノート・インスタンスを含む第１のスピーカー・ノート・ファイルを作成する手段、
第２のスピーカー・ノート・インスタンスを含む第２のスピーカー・ノート・ファイルを作成する手段、
前記スライドの１つをサポートするために前記第２のスピーカー・ノート・インスタンスを使用することができるように、前記スライド・プレゼンテーションと前記第２のスピーカー・ノート・ファイルの間のリンクを作成する手段、
としてコンピュータを機能させるプログラム。
【請求項１７】
スライド・プレゼンテーション・プログラムのスピーカー・ノート・ファイルを管理するためのプログラムであって、少なくとも１つのスライドと、前記少なくとも１つのスライドをサポートするために使用されるスピーカー・ノート・インスタンスとを含むスライド・プレゼンテーションとを格納したコンピュータに、
それぞれが前記少なくとも１つのスライドをサポートするために使用される少なくとも１つのスピーカー・ノート・インスタンスを含むスピーカー・ノート・ファイルを作成するステップ、
それぞれのファイルの前記少なくとも１つのスピーカー・ノート・インスタンスを前記少なくとも１つのスライドにリンクするステップ、
を実行させるプログラム。
【発明の詳細な説明】
【技術分野】
【０００１】
本発明は、一般には、スライド・ショー・プログラムに関する。し、より詳細には、本発明は、こうしたスライド・ショー・プログラムの発表者用ノートスピーカー・ノートの管理を向上させる改善するためのシステム、および方法およびプログラムに関する。
【背景技術】
【０００２】
スライド・ショー・プログラムは、ユーザがコンピュータ上でスライド・プレゼンテーションを作成し、編集し、発展させ、管理するのに役立つように開発されてきた。一般に、スライド・ショーには、視聴者に情報を表示するいくつかの電子スライドをが含まれているむ。各スライドは、画面またはページ出力として提示することができる。さらに、各スライドは、テキスト、画像、アニメーションまたは音声など、１以上のつまたは複数のオブジェクトを含むことができる。スライドは、スライド・ショーを行う際の補助のためのメモ上映時に補助のための記載事項（written support）を提供するために発表者によって（または発表者のため他の者によって）作成さに作られる、通常「発表者用ノートスピーカー・ノート」と通常呼ばれる定義されるテキストをも含み得るめることができる。
【０００３】
支援としてプレゼンテーションを開始するために、ユーザは、「スライド・ショー」の機能を呼び出して、プレゼンテーション内に含まれるスライドをコンピュータ表示画面上に順次表示したり、または他の任意の表面上にそれを投影したりする。この操作を行うときに、ユーザは、「次のスライドに進む」コマンドを呼び出すことによってプレゼンテーションの進捗を制御し、補助として使用可能な発表者用ノートスピーカー・ノートの個々のテキストを含む現在の各スライドにコメントすることができる。
【０００４】
一般に、発表者は一般に、発表者用ノートスピーカー・ノートを個人的な自分の目的のためだけに使用する。発表者は、同じスライド・プレゼンテーションを、スピーカー・ノートし、その発表者用ノートを付けないで１セット１組の電子スライドを参加者に提供して、特定の視聴者向けに同じスライド・プレゼンテーションを使用する。１つのスライド・プレゼンテーションを同じ母国語がをもたないそれぞれ異なる発表者間で共有するときにし、したがって、異なる言語が様々であるで同じ発表者用ノートスピーカー・ノートのセットを有することも好都合であり得る便利である。
【０００５】
現在の製品ではユーザは、発表者用ノートスピーカー・ノートを手作業で管理しなければならず、必要な場合時にプレゼンテーションの各スライドに関連するそれぞれのスピーカー・ノートが発表者用ノートを手作業で修正されるする。ユーザは、そのスライド・プレゼンテーションの複数のバージョンを保存しなければならない。ず、次いでさらに、ユーザは、各バージョンの特定のスライドの発表者用ノートスピーカー・ノートを編集し、またテキストを修正しまたは削除し、あるいは必要に応じてそれを翻訳しなければならない。
【０００６】
上記のソリューション（解決策）が存在するものの、このソリューションが、しかしそれには重大な欠点がある。主たるな欠点は、手作業の操作が反復して実施されるので、したがって、たとえば望ましくない発表者用ノートスピーカー・ノートを残したままにするなど、人的なエラーを招きやすいことである。別の欠点は、プレゼンテーション・ファイルの作成者は同じプレゼンテーションの複数のバージョンを手作業で管理しなければならないことである。さらなる別の欠点はず、またコンピュータ・ハード・ディスク上のバージョンの数だけ基本プレゼンテーション・ファイルのサイズが増大することである。
【０００７】
単一のスライド・プレゼンテーションに関する１組１セットの発表者用ノートスピーカー・ノートを自動的に管理するためのソリューション解決策は存在しない。本発明は、こうした解決ソリューション策を提供するものである。
【発明の開示】
【発明が解決しようとする課題】
【０００８】
したがって、本発明の主な目的は、１つのスライド・プレゼンテーションにリンクされた複数の発表者用ノートスピーカー・ノート・ファイルを効率的に管理するための方法、を実現しシステムおよびプログラムを提供することである。
【課題を解決するための手段】
【０００９】
好ましくは、本発明は、コンピュータで実施されるスライド・プレゼンテーション製品上で動作する。具体的には、スライド・プレゼンテーションをサポートするために使用される複数の発表者用ノートスピーカー・ノート・ファイルを作成するためのシステムが提供される。、システムには、スライド・プレゼンテーションに含まれるの１つのスライドスライドの１つをサポートするために使用される第１の発表者用ノートスピーカー・ノート・インスタンスを含む第１の発表者用ノートスピーカー・ノート・ファイルを作成する手段と、第２の発表者用ノートスピーカー・ノート・インスタンスを含む少なくとも第２の発表者用ノートスピーカー・ノート・ファイルを作成する手段がとを含まれるむ。前記１つのスライドスライドの１つをサポートするために前記少なくとも第２の発表者用ノートスピーカー・ノート・インスタンスを使用することができるように、スライド・プレゼンテーションと前記少なくとも第２の発表者用ノートスピーカー・ノート・ファイルの間でリンクが生成される。
【００１０】
より一般的には、また、スライド・プレゼンテーション・プログラムの発表者用ノートスピーカー・ノート・ファイルを管理するためのシステムであって、
（ａ）その上で実行されるスライド・プレゼンテーション・プログラムを実行するための含むコンピュータと、
（ｂ）スライド・プレゼンテーション・プログラムを用いて作成されたスライド・プレゼンテーションであって、少なくとも１つのスライドと、スライド・プレゼンテーション・プログラムの制御のもとで生成され、また少なくとも１つのスライドをサポートするために使用される発表者用ノートスピーカー・ノート・インスタンスとを含むスライド・プレゼンテーションと、
（ｃ）アクションを実施するためにコンピュータによって実行可能なコンピュータ読取り可能可読プログラム手段であって、を含むシステムが提案される。前記アクションにはが、
（ｉ）発表者用ノート・ファイルを作成するステップであって、それぞれのファイルが、少なくとも１つのスライドをサポートするために使用される少なくとも１つの発表者用ノートスピーカー・ノート・インスタンスを含むスピーカー・ノート・ファイルを作成するステップと、
（ｉｉ）それぞれのファイルの少なくとも１つの発表者用ノートスピーカー・ノート・インスタンスを少なくとも１つのスライドにリンクするステップが含まれるとを含むコンピュータ読取り可能プログラム手段とを含むシステムが提案される。
【００１１】
商用の形態として、形ではコンピュータ読取り可能可読プログラム手段は、コンピュータ・マシンコンピュータによって読取り可能な可読プログラム記憶媒体ないし装置において装置内で実装すされることができる。さらに、上述のシステムないし方法の要素を実現するプログラムの形態として本発明を実現できることは勿論である。
【００１２】
本発明の上記ならびに他の目的、特徴および利点は、以下の本発明についてのより具体的な説明を添付の図面と併せて読むことによってよりよく理解されようるだろう。
【発明を実施するための最良の形態】
【００１３】
図１に、本発明によるシステムが示されている。一般的なシステム１００は、スライド・プレゼンテーション・コンポーネント１０２と、複数の発表者用ノートスピーカー・ノート・コンポーネント１０６（１０６−１〜１０６−ｎ）と、発表者用ノートスピーカー・ノート・マネージャ・コンポーネント１０８とを含む。発表者用ノートスピーカー・ノート・コンポーネント１０６は、１つ（１０４）または複数（１０４−１〜１０４−ｎ）の発表者用ノートスピーカー・ノート・ファイルを含み得る。発表者用ノートスピーカー・ノート・マネージャ１０８は、矢印１１２で示すように、１つの発表者用ノートスピーカー・ノート・ファイルとスライド・プレゼンテーション・コンポーネントの間のファイル・リンクを維持するように動作する。さらに、発表者用ノートスピーカー・ノート・マネージャ１０８は、スライド・プレゼンテーション・コンポーネント１０２と、発表者用ノートスピーカー・ノート・ファイル・バンドル（１つにまとめたもの）１０６の束としてまとめられた複数の発表者用ノートスピーカー・ノート・ファイル１０４−ｉとの間のバンドル・リンク１１０を維持するようにも動作する。
【００１４】
次にシステム１００の各コンポーネントについて詳しく述べるが、スライド・プレゼンテーション・コンポーネント１０２が、よく知られているマイクロソフト（Microsoft）・コーポレーションが提供するからのパワーポイント（ＲPowerPoint）製品、ロータス・コーポレーション社（LotusCorporation）からのが提供するフリーランス（Freelance）（Ｒ）製品、サン・マイクロシステムズ社（Sun）からのが提供するスターオフィス（Ｒ）（Staroffice）などの製品のようなスライド・プレゼンテーション製品によって／を用いて作成されかつ／または・修正・されかつ／または表示されるたスライド・プレゼンテーションであり得ることにまず留意されたい。
【００１５】
発表者用ノートスピーカー・ノート・マネージャ１０８は、発表者用ノートスピーカー・ノート・ファイル１０４のグローバル管理を可能にするルーチンであり、またスライド・プレゼンテーション・コンポーネント１０２と発表者用ノートスピーカー・ノート・ファイル１０４の間のファイル・リンク１１２を動的に維持する。発表者用ノートスピーカー・ノート・ファイル１０４は、現在使用されるスライド・プレゼンテーション・プログラムによって一般的に提供される発表者用ノートスピーカー・ノート機能を用いて作成されることを理解されたい。
【００１６】
発表者用ノートスピーカー・ノート・マネージャ・ルーチンによって、複数の発表者用ノートスピーカー・ノート・ファイル１０４−ｉのそれぞれをまとめる複数の発表者用ノートスピーカー・ノート・コンポーネント１０６−ｉを管理することもできる。、したがって、スライド・プレゼンテーション・コンポーネント１０２と発表者用ノートスピーカー・ノート・ファイル・バンドル束の間のバンドル・リンク１１０がをも動的に維持されるする。
【００１７】
最後に、発表者用ノートスピーカー・ノート・マネージャ・ルーチンによって、スライド・プレゼンテーション・コンポーネント１０２の各スライドと、発表者用ノートスピーカー・ノート・ファイル１０４−ｉの対応する発表者用ノートスピーカー・ノート・インスタンスとの間のスライド単位リンク１１４を管理することもできる。図２に、こうしたリンクのより詳細な図を示す。
【００１８】
発表者用ノートスピーカー・ノート・マネージャ１０８を介して、複数の様々な機能が実施され得ることが当業者には容易に理解されよう。たとえば、図５を参照して以下でより詳細に述べるように、ファイル・リンク１１２は、発表者用ノートスピーカー・ノート・ファイル１０４のある発表者用ノートスピーカー・ノート・インスタンス１０４−ｉから別のインスタンス１０４−ｊに変更することができる。別の例は、図７を参照して以下でより詳細に述べるように、バンドル・リンク１１０を発表者用ノートスピーカー・ノート・コンポーネント１０６のあるインスタンス１０６−ｉから別のインスタンス１０６−ｊに変更することができ、または削除できるものである。
【００１９】
次に図３を参照すると、本発明によって定義される、発表者用ノートスピーカー・ノートを伴うスライド・プレゼンテーションを作成するための主要なステップが示されている。
【００２０】
このプロセスは、ステップ２０２で、スライド・プレゼンテーションを作成することから開始する。次のステップ２０４で、プレゼンテーションの第１のスライドを作成することができる。詳しく説明されていないが、このスライドの作成は、既に述べたように通常のスライド・プレゼンテーション・プログラムを使用して実施され得るすることができることを理解されたい。
【００２１】
このプロセスでは、次のステップ２０６で、ユーザは、以前に作成されたスライドに関連する発表者用ノートスピーカー・ノート・インスタンスにアクセスし、それを作成することができる。
【００２２】
次のステップ２０８で、ユーザは、発表者用ノートスピーカー・ノート・インスタンスがそのプレゼンテーションの内部的なものであることを指示宣言し、あるいはプレゼンテーションにリンクされる外部的な１組の発表者用ノートスピーカー・ノート・ファイルを作成することができる。ユーザが、そのプレゼンテーションへの発表者用ノートスピーカー・ノート・インスタンスをもつことを選択する場合（分岐、はいＹｅｓ）、ステップ２１０で、発表者用ノートスピーカー・ノート・インスタンスは、スライド・プレゼンテーション・メニュの一部としてスライド・プレゼンテーション内に格納され、ステップ２２０で、そのプレゼンテーションが保存される。次のステップ２２２で、ユーザは、新しいスライドを作成するかどうかを尋ねられる。プロセスは、はいＹｅｓの回答であればステップ２０４に戻り、そうでない場合は終了する。
【００２３】
ステップ２０８で、ユーザが発表者用ノートスピーカー・ノート・インスタンスを外部ファイルとして作成することを選択する場合（分岐、いいえＮｏ）、プロセスは、ステップ２１２に進み、それが最初のスライド作成であるかどうかがチェックされる。前に作成された発表者用ノートスピーカー・ノート・インスタンスが最初の外部発表者用ノートスピーカー・ノートである場合（分岐、はいＹｅｓ）、このプロセスは、ステップ２１４で、コンピュータ・システムのレポジトリ内に発表者用ノートスピーカー・ノート・ファイルの束バンドルを作成する。それが最初に作成されたものでない場合（分岐、いいえＮｏ）、プロセスは、ステップ２１６で、新しい外部ファイルを作成し、ユーザによって定義された発表者用ノートスピーカー・ノート・インスタンスでそれを更新する。ステップ２１８で、様々なリンクすなわち（スライド・プレゼンテーション・コンポーネント１０２と発表者用ノートスピーカー・ノート・ファイル束・バンドル１０６の間の）バンドル・リンク１１０、（スライド・プレゼンテーション・コンポーネント１０２と発表者用ノートスピーカー・ノート・ファイル１０４の間の）ファイル・リンク１１２、および（スライド・プレゼンテーション１０２のスライドと発表者用ノートスピーカー・ノート・ファイル１０４の各発表者用ノートスピーカー・ノート・インスタンスの間の）スライド単位リンク１１４が作成される。
【００２４】
次にステップ２２０で、スライド・プレゼンテーションが保存される。ステップ２２２で、プロセスは、ユーザが新しいスライドの作成を望む場合はステップ２０４に折り返し、そうでない場合は終了する。
【００２５】
次に図４を参照すると、本発明によって定義される、スライド・プレゼンテーション内の発表者用ノートスピーカー・ノート・インスタンスを修正するための主要ステップが示されている。
【００２６】
このプロセスは、ステップ３０２で、スライド・プレゼンテーションを編集し、ステップ３０４で、そのプレゼンテーションの複数のスライドのうちからある特定のスライドを編集することから開始する。詳しく説明していないがこの場合もやはり、既に述べたように、編集が通常のスライド・プレゼンテーション・プログラムを使用して実施され得ることを理解されたい。
【００２７】
ステップ３０６で、ユーザは、使用しているスライド・プレゼンテーション製品によって提供される既定の発表者用ノートスピーカー・ノート・インターフェースを使用して機能の作成／修正を選択することができる。
【００２８】
ステップ３０８で、ユーザによって選択された発表者用ノートスピーカー・ノート・インスタンスが現在のスライド・プレゼンテーションの内部のものか、それとも外部のものかをチェックする。発表者用ノートスピーカー・ノート・インスタンスが内部のものである場合、それは適切な修正内容で更新され（ステップ３１０）、ステップ３２０で、スライド・プレゼンテーション・メニュの一部としてスライド・プレゼンテーション内に保存される。
【００２９】
発表者用ノートスピーカー・ノート・インスタンスが内部のものでない場合、プロセスは、ステップ３１２に進む。
【００３０】
ステップ３１２で、発表者用ノートスピーカー・ノート・インスタンスが最初の外部インスタンスであるか（スライド・プレゼンテーション・ファイル１０２が発表者用ノートスピーカー・ノート無しで以前に定義されている）をチェックする。そうである場合、ステップ３１４で、プロセスは、コンピュータ・システムのレポジトリ内に発表者用ノートスピーカー・ノート・ファイルの束バンドルを作成し、次いで、ステップ３１６で、ユーザによって定義された発表者用ノートスピーカー・ノート・ファイルでそれを更新する。ステップ３１８で、すべてのリンクすなわちバンドル・リンク１１０、ファイル・リンク１１２およびスライド単位リンク１１４が作成される。
【００３１】
ステップ３１２で、ユーザが最初の発表者用ノートスピーカー・ノート・インスタンスを作成しない場合（分岐、いいえＮｏ）、プロセスは、ステップ３１６で、既存の外部発表者用ノートスピーカー・ノート・ファイルをユーザによって定義された修正内容で更新し、次いで、ステップ３１８で、スライド単位リンク１１４を作成する。
【００３２】
ステップ３２０で、更新済みのスライド・プレゼンテーションが、新しい発表者用ノートスピーカー・ノート・インスタンスを付けて保存される。ステップ３２２で、プロセスは、ユーザが新しいスライドを更新したい場合（分岐、はいＹｅｓ）ステップ３０４に折り返し、そうでない場合（分岐、いいえＮｏ）終了する。
【００３３】
次に図５を参照すると、本発明によって定義される、発表者用ノートスピーカー・ノート・マネージャを使用してスライド・プレゼンテーション・ファイルを発表者用ノートスピーカー・ノート・ファイルにリンクするための主要なステップが示されている。
【００３４】
このプロセスは、ステップ４０２で、スライド・プレゼンテーションを選択することから開始する。ユーザは好ましくは、たとえば図６に示すように、発表者用ノートスピーカー・ノート・マネージャのグラフィカル・ユーザ・インターフェースを介して適切なスライド・プレゼンテーションを選択する。
【００３５】
ステップ４０４で、選択されたスライド・プレゼンテーションが内部の発表者用ノートスピーカー・ノート・セットに既に関連付けられているかどうかをチェックする。そうでない場合、すなわちスライド・プレゼンテーションが外部の発表者用ノートスピーカー・ノート・セットに関連付けられている場合（分岐、いいえＮｏ）、ステップ４１４で、ユーザは、（スライド・プレゼンテーション１０２にリンクされた発表者用ノートスピーカー・ノート・の束バンドル内の）別の発表者用ノートスピーカー・ノート・ファイル１０４−ｉを選択することができ、次のステップ４１６で、前のファイル・リンク１１２が削除され、新しいファイル・リンク１１２が作成される。同じステップで、選択された新しい発表者用ノートスピーカー・ノート・ファイル１０４−ｉに基づいて、既存のスライド単位リンク１１４が新しいリンクに置き換えられる。次いで、プロセスは終了する。
【００３６】
ステップ４０４に戻るとが、スライド・プレゼンテーションが内部の発表者用ノートスピーカー・ノート・ファイル・セットに関連付けられている場合（分岐、はいＹｅｓ）、このプロセスでは（ステップ４０６で）ユーザは、この構成を保持し（分岐、いいえＮｏ）、プロセスが終了し、あるいはコンピュータ・システムのレポジトリ内に発表者用ノートスピーカー・ノート・ファイル・セットを作成することができる（ステップ４０８）。次いで、ステップ４１０で、内部の既存の発表者用ノートスピーカー・ノートに基づいて発表者用ノートスピーカー・ノート・ファイルが作成され保存される。ステップ４１２で、すべてのリンクすなわち（スライド・プレゼンテーション１０２と発表者用ノートスピーカー・ノート・ファイル束・バンドル１０６の間の）バンドル・リンク１１０、（スライド・プレゼンテーション１０２と発表者用ノートスピーカー・ノート・ファイル１０４の間の）ファイル・リンク１１２、およびスライド単位リンク１１４（スライド・プレゼンテーション１０２からのスライドと発表者用ノートスピーカー・ノート・ファイル１０４の各発表者用ノートスピーカー・ノート・インスタンスの間の各リンク）が作成される。次いで、プロセスは終了する。
【００３７】
図６に、発表者用ノートスピーカー・ノート・マネージャのメイン・ウィンドウ５００の好ましい一実施形態を示す。このウィンドウは、発表者用ノートスピーカー・ノート・マネージャの開始操作に応答して表示される。このウィンドウは、ローカルでまたはリモート・リンクされたコンピュータ上でユーザが使用できるスライド・プレゼンテーション・ファイルのリストを表示するためのスライド・プレゼンテーション領域５０２を含む。ユーザは、この選択リスト５０２内の１つのスライドスライドの１つ・プレゼンテーション５１６を選択することができる。
【００３８】
メイン・ウィンドウは、プレゼンテーション・リスト５０２内で選択されたプレゼンテーションにリンクされる、使用可能なすべての発表者用ノートスピーカー・ノート・ファイルをリストする発表者用ノートスピーカー・ノート領域５０４をも含む。発表者用ノートスピーカー・ノート・リスト５０４内で選択された発表者用ノートスピーカー・ノート・ファイル５１８は、選択されたプレゼンテーション５１６にリンクされたものである。
【００３９】
メイン・ウィンドウは、複数のプッシュ・ボタンをも含む。リンク・プッシュ・ボタン５０８によってユーザは、上述のリンクを作成することができる。
【００４０】
取消しプッシュ・ボタン５１０によって、発表者用ノートスピーカー・ノート・マネージャが開始する前に定義された既存のリンクを維持しながらすべての操作を取り消すことができる。
【００４１】
メイン・ウィンドウは、発表者用ノートスピーカー・ノート・マネージャについてのヘルプ・プロセスを開始するためのヘルプ・プッシュ・ボタン５１２をも含み得る。
【００４２】
ユーザが発表者用ノートスピーカー・ノートを組み込んだ、プレゼンテーション選択リスト５０２内のスライド・プレゼンテーション５１６を選択し、次いで、プッシュ・ボタン５１４「発表者用ノートスピーカー・ノート作成」を選択すると、このプロセスは、コンピュータ・システムのレポジトリ内に発表者用ノートスピーカー・ノート・ファイルの束バンドルを作成し、次いで、外部の発表者用ノートスピーカー・ノート・ファイルを作成し、ユーザによって定義される発表者用ノートスピーカー・ノートでそれを更新する。次いで、図５で述べたように、すべてのリンクすなわちバンドル・リンク１１０、ファイル・リンク１１２およびスライド単位リンク１１４が作成され、発表者用ノートスピーカー・ノート・ファイル５１８が発表者用ノートスピーカー・ノート・リスト５０４に追加され強調表示される。
【００４３】
ユーザがプレゼンテーション選択リスト５０２内のスライド・プレゼンテーション５１６を選択し、プッシュ・ボタン「保存  ｗ／  保存Ｗ／発表者用ノートスピーカー・ノート」５２０をクリックすると、組み込まれた発表者用ノートスピーカー・ノートなしでスライド・プレゼンテーション５１６が保存され、あるいは既存のバンドル・リンク１１０が空きの発表者用ノートスピーカー・ノート・ファイルに移動される。
【００４４】
次に図７を参照すると、関連する発表者用ノートスピーカー・ノート無しでスライド・プレゼンテーションを保存するための主要ステップが示されている。
【００４５】
このプロセスは、ステップ６０２で、図６を参照して上記で述べたようにユーザが発表者用ノートスピーカー・ノート・マネージャのメイン・ウィンドウを介してスライド・プレゼンテーションを選択し、「保存  ｗＷ／  発表者用ノートスピーカー・ノート」ボタン５２０をクリックすることから開始する。
【００４６】
ステップ６０４で、スライド・プレゼンテーションが内部の発表者用ノートスピーカー・ノート・セットに既に関連付けられているかどうかをチェックすることができる。そうでない場合（分岐、いいえＮｏ）、このプロセスでは、ステップ６１６で、外部の発表者用ノートスピーカー・ノート・ファイル・セット内に含まれる空の発表者用ノートスピーカー・ノート・ファイルを選択し、またはそれが既に存在していない場合は新しい空のファイルを作成することができる。ステップ６１８で、ファイル・リンク１１２およびスライド単位リンク１１４が、まず以前に定義されたリンクを削除し、新しいリンクを作成することによって更新される。次いで、プロセスは終了する。
【００４７】
ステップ６０４に戻るが、スライド・プレゼンテーションが外部の発表者用ノートスピーカー・ノート・セットに関連付けられていない場合（分岐、Ｙｅｓはい）、このプロセスでは、（ステップ６０６で）ユーザは、内部構成を保持し（分岐、いいえＮｏ）、またはコンピュータ・システムのレポジトリ内に発表者用ノートスピーカー・ノート・ファイルの束バンドルを作成することができる（分岐、Ｙｅｓはい）。
【００４８】
ユーザが内部の発表者用ノートスピーカー・ノート・ファイルの保持を望む場合、ステップ６０８で、このプロセスは、プレゼンテーション・ファイル１０２からすべての発表者用ノートスピーカー・ノート・ファイルを自動的に削除し、プロセスは終了する。
【００４９】
ユーザが内部の発表者用ノートスピーカー・ノート・ファイルの変更を望む場合、このプロセスでは、コンピュータ・システムのレポジトリ内に発表者用ノートスピーカー・ノート・ファイルの束バンドルを作成することができる（ステップ６１０）。
【００５０】
次のステップ６１２で、空の発表者用ノートスピーカー・ノート・ファイルが作成され、すべての発表者用ノートスピーカー・ノート・ファイルがプレゼンテーション・ファイル１０２から自動的に削除される。
【００５１】
次いで、ステップ６１４で、すべてのリンクすなわち（スライド・プレゼンテーション１０２と発表者用ノートスピーカー・ノート・ファイル束・バンドル１０６の間の）バンドル・リンク１１０、（スライド・プレゼンテーション１０２と発表者用ノートスピーカー・ノート・ファイル１０４の間の）ファイル・リンク１１２、およびスライド単位リンク１１４（スライド・プレゼンテーション１０２のスライドと発表者用ノートスピーカー・ノート・ファイル１０４からの空の各発表者用ノートスピーカー・ノート・インスタンスの間の各リンク）が作成され、プロセスは終了する。
【００５２】
最後に、本発明は、複数の発表者用ノートスピーカー・ノート・ファイルを単一のスライド・プレゼンテーションにリンクさせるための容易で有効なソリューション解決策を提供することを理解されたい。
【００５３】
本発明は、ハードウエア、ソフトウエア、またはハードウエア及びソフトウエアの組み合わせとして実現可能である。ハードウエアとソフトウエアの組み合わせによる実行において、所定のプログラムを有するコンピュータ・システムにおける実行が典型的な例として挙げられる。かかる場合、該所定プログラムが該コンピュータ・システムにロードされ実行されることにより、該プログラムは、コンピュータ・システムを制御し、本願発明にかかる処理を実行させる。このプログラムは、任意の言語・コード・表記によって表現可能な命令群から構成される。そのような命令群は、システムが特定の機能を直接、または１．他の言語・コード・表記への変換、２．他の媒体への複製、のいずれか一方もしくは双方が行われた後に、実行することを可能にするものである。もちろん、本願発明は、そのようなプログラム自体のみならず、プログラムを記録した媒体もその範囲に含むものである。本願発明の機能を実行するためのプログラムは、フロッピー・ディスク、ＭＯ、ＣＤ−ＲＯＭ、ＤＶＤ、ハード・ディスク装置、ＲＯＭ、ＭＲＡＭ、ＲＡＭ等の任意のコンピュータ読み取り可能な記録媒体に格納することができる。かかるプログラムは、記録媒体への格納のために、通信回線で接続する他のコンピュータ・システムからダウンロードしたり、他の記録媒体から複製したりすることができる。また、かかるプログラムは、圧縮し、または複数に分割して、単一または複数の記録媒体に格納することもできる。
【図面の簡単な説明】
【００５４】
【図１】本発明のシステムの一般的な概念図である。
【図２】スライド・プレゼンテーションにリンクされた１組セットの発表者用ノートスピーカー・ノート・ファイルの詳細な図である。
【図３】本発明によって定義される、スライド・プレゼンテーションを発表者用ノートスピーカー・ノート・ファイルを付しけて作成するための主要ステップのフローチャートである。
【図４】本発明によって定義される、スライド・プレゼンテーション内の発表者用ノートスピーカー・ノート・ファイルを修正するための主要ステップのフローチャートである。
【図５】本発明によって定義される、発表者用ノートスピーカー・ノート・マネージャを使用してスライド・プレゼンテーション・ファイルを１セット組の発表者用ノートスピーカー・ノート・ファイルにリンクするための主要ステップのフローチャートである。
【図６】発表者用ノートスピーカー・ノート・マネージャのメイン・ウィンドウの好ましい一実施形態を示す絵画図である。
【図７】本発明によって定義される、発表者用ノートスピーカー・ノート・ファイル無しでスライド・プレゼンテーション・ファイルを保存するための主要ステップのフローチャートである。
【符号の説明】
【００５５】
１０２  スライド・プレゼンテーション・コンポーネント
１０４  発表者用ノートスピーカー・ノート・ファイル
１０４−１  発表者用ノートスピーカー・ノート・ファイル
１０４−ｉ  発表者用ノートスピーカー・ノート・ファイル
１０４−ｊ  発表者用ノートスピーカー・ノート・ファイル
１０４−ｎ  発表者用ノートスピーカー・ノート・ファイル
１０６  発表者用ノートスピーカー・ノート・コンポーネント
１０６−１  発表者用ノートスピーカー・ノート・コンポーネント
１０６−ｉ  発表者用ノートスピーカー・ノート・コンポーネント
１０６−ｎ  発表者用ノートスピーカー・ノート・コンポーネント
１０８  発表者用ノートスピーカー・ノート・マネージャ
１１０  バンドル・リンク
１１２  ファイル・リンク
１１４  スライド単位リンク
５０２  スライド・プレゼンテーション領域／プレゼンテーション選択リスト
５０４  発表者用ノートスピーカー・ノート領域
５０８  リンク・プッシュ・ボタン
５１０  取消しプッシュ・ボタン
５１２  ヘルプ・プッシュ・ボタン
５１４  作成プッシュ・ボタン
５１６  スライド・プレゼンテーション
５１８  発表者用ノートスピーカー・ノート・ファイル
５２０  保存プッシュ・ボタン
【図１】
2005243027.tif 000003
【図２】
2005243027.tif 000004
【図３】
2005243027.tif 000005
【図４】
2005243027.tif 000006
【図５】
2005243027.tif 000007
【図６】
2005243027.tif 000008
【図７】
2005243027.tif 000009